(57)【特許請求の範囲】
【請求項１】
バーベキューグリルの火床内に配置可能であり、内部に加熱燃料を配置でき且つ可撓性を有する金属箔で構成された火床カバーにおいて、
第１底板と、
複数の第１側板とを備えており、
前記第１底板は、第１縁を有しており、前記第１縁は、当該第１縁に沿って並ぶ複数の第１連結部を有しており、
前記第１側板は、前記第１底板の前記第１連結部に各々連接され、前記第１連結部と各々切れ目なく繋がっており且つ前記第１底板に対して起立位置から折り畳み位置にかけて各々折り曲げ可能であり、
前記第１側板の前記起立位置は、前記第１側板が前記第１底板に対して直角又は傾斜した位置であり、
前記第１側板の前記折り畳み位置は、前記第１側板が前記第１底板と略同一平面上に位置するように展開された位置又は前記第１側板が前記第１底板上に重なる位置である火床カバー。
【請求項２】
請求項１記載の火床カバーにおいて、
前記第１側板は、第１端部と、前記第１端部の反対側の第２端部とを有しており、
前記起立位置で隣り合う前記第１側板の前記第１端部と別の前記第１側板の前記第２端部とが当接している火床カバー。
【請求項３】
請求項１又は２記載の火床カバーにおいて、
第２底板と、
複数の第２側板とを更に備えており、
前記第１底板は、第１環状縁を有しており、前記第１環状縁が、第１開放縁と、前記第１環状縁の前記第１開放縁以外の部分である前記第１縁とを有しており、
前記第２底板は、第２環状縁を有しており、前記第２環状縁が、第２開放縁と、前記第２環状縁の前記第２開放縁以外の部分である第２縁とを有しており、前記第２縁は、当該第２縁に沿って並ぶ複数の第２連結部を有しており、
前記第２側板は、前記第２底板の前記第２連結部に各々連接され、前記第２連結部と各々切れ目なく繋がっており且つ前記第２底板に対して起立位置から折り畳み位置にかけて各々折り曲げ可能であり、
前記第２側板の前記起立位置は、前記第２側板が前記第２底板に対して直角又は傾斜した位置であり、
前記第２側板の前記折り畳み位置は、前記第２側板が前記第２底板と略同一平面上に位置するように展開された位置又は前記第２側板が前記第２底板上に重なる位置であり、
前記第１側板は、最も前記第１開放縁側に配置される二つの最も端の第１側板を含み、
前記第２側板は、最も前記第２開放縁側に配置される二つの最も端の第２側板を含み、
前記第１底板が前記第２底板に部分的に重畳し、且つ前記起立位置の前記最も端の第１側板が前記起立位置の前記最も端の第２側板に部分的に重畳している火床カバー。
【請求項４】
請求項３記載の火床カバーにおいて、
前記第２側板は、第１端部と、前記第１端部の反対側の第２端部とを有しており、
前記第２側板の前記起立位置で隣り合う前記第２側板の前記第１端部と別の前記第２側板の前記第２端部が当接している火床カバー。
【請求項５】
請求項３又は４記載の火床カバーにおいて、
前記最も端の第１側板は、第１係合部を有しており、
前記最も端の第２側板は、第２係合部を有しており、
前記第１係合部及び第２係合部のうちの何れか一方が、係合突部を有し、他方が前記係合突部を係合可能な係合凹部を有する火床カバー。
【請求項６】
請求項１〜２の何れかに記載の火床カバーにおいて、
前記第１底板の前記第１縁は環状である火床カバー。
【請求項７】
金属製の火床と、
前記火床内に収容された請求項１〜６の何れかに記載の火床カバーとを備えたバーベキューグリル。
【発明の詳細な説明】
【技術分野】
【０００１】
本発明は、火床カバー及びこれを備えたバーベキューグリルに関する。
【背景技術】
【０００２】
この種の火床カバーは、アルミ箔等で構成されている。火床カバーが、バーベキューグリルの火床内に配置され、火床カバー内に炭等の加熱燃料が配置される。この火床カバーによって、火床に対する熱劣化が抑制され且つ火床の内面に煤や食材の油が付着するのを防止することができる。
【先行技術文献】
【特許文献】
【０００３】
【特許文献１】特開２０１５-０４７３２９号公報
【特許文献２】特開２０１５-０８４８８９号公報
【発明の概要】
【発明が解決しようとする課題】
【０００４】
ところで、上記火床カバーは、複数単位で販売されることが多々ある。しかし、上記火床カバー、火床の内形に対応した立体形状であるため、収納性が悪い。
【０００５】
本発明は、上記事情に鑑みて創案されたものであって、その目的とするところは、収納性を向上させることができる火床カバー及びこれを備えたバーベキューグリルを提供することにある。
【課題を解決するための手段】
【０００６】
上記課題を解決するために、本発明の一態様の火床カバーは、バーベキューグリルの火床内に配置可能であり、内部に加熱燃料を配置でき且つ可撓性を有する金属箔で構成されている。この火床カバーは、第１底板と、複数の第１側板とを備えている。第１底板は、第１縁を有している。この第１縁は、当該第１縁に沿って並ぶ複数の第１連結部を有している。第１側板は、第１底板の第１連結部に各々連接され、第１連結部と各々切れ目なく繋がっており且つ第１底板に対して起立位置から折り畳み位置にかけて各々折り曲げ可能である。第１側板の起立位置は、第１側板が第１底板に対して直角又は傾斜した位置である。第１側板の折り畳み位置は、第１側板が第１底板と略同一平面上に位置するように展開された位置（展開位置）又は第１側板が第１底板上に重なる位置（重ね位置）である。
【０００７】
このような態様の火床カバーは、収納性が向上する。その理由は次の通りである。第１側板を折り畳み位置に位置させることによって、当該火床カバーをフラットにすることができるため、フラットの当該火床カバーを重ねて収納することができる。
【０００８】
第１側板は、第１端部と、第１端部の反対側の第２端部とを有する構成とすることが可能である。起立位置で隣り合う第１側板の第１端部と別の第１側板の第２端部とが当接する構成とすることが可能である。
【０００９】
このような態様の火床カバーによる場合、火床に対する熱劣化が抑制され且つ火床の内面に煤や食材の油が付着するのを防止することができる。起立位置で隣り合う第１側板の第１端部と別の第１側板の第２端部とが当接することによって、起立位置で隣り合う第１側板間に隙間が生じないからである。
【００１０】
上記した何れかの態様の火床カバーは、第２底板と、複数の第２側板とを更に備えた構成とすることが可能である。第１底板は第１環状縁を有する構成とすることが可能である。第１環状縁は、第１開放縁と、第１環状縁の第１開放縁以外の部分である第１縁とを有する構成とすることが可能である。第２底板は、第２環状縁を有する構成とすることが可能である。第２環状縁が、第２開放縁と、第２環状縁の第２開放縁以外の部分である第２縁とを有する構成とすることが可能である。第２縁は、当該第２縁に沿って並ぶ複数の第２連結部を有した構成とすることが可能である。第２側板は、第２底板の第２連結部に各々連接され、第１連結部と各々切れ目なく繋がっており且つ第２底板に対して起立位置から折り畳み位置にかけて各々折り曲げ可能な構成とすることが可能である。第２側板の起立位置は、第２側板が第２底板に対して直角又は傾斜した位置とすることが可能である。第２側板の折り畳み位置は、第２側板が第２底板と略同一平面上に位置するように展開された位置（展開位置）又は第２側板が第２底板上に重なる位置（重ね位置）とすることが可能である。第１側板は、最も第１開放縁側に配置される二つの最も端の第１側板を含み、第２側板は、最も第２開放縁側に配置される二つの最も端の第２側板を含む構成とすることが可能である。第１底板が第２底板に部分的に重畳し、且つ起立位置の最も端の第１側板が起立位置の最も端の第２側板に部分的に重畳した構成とすることが可能である。
【００１１】
このような態様の火床カバーによる場合、以下の第１及び第２の技術的特徴を有している。第１に、第１底板が第２底板に重畳する量、及び起立位置の最も端の第１側板が起立位置の最も端の第２側板に重畳する量を調整するだけで、当該火床カバーの大きさを容易に調整することができる。第２に、従来の火床カバーは、立体形状であるため、起立位置で固定された側板の一方を外側に湾曲させ、側板同士を重畳させると共に、底板同士を重畳させる必要がある。しかし、本火床カバーは、従来の火床カバーに比べて、第１底板を第２底板に容易に重畳させることができ、且つ最も端の第１側板を最も端の第２側板に容易に重畳させることができる。その理由は以下の通りである。具体的には以下の通りである。最も端の第１側板及び第２側板を展開位置に位置させた状態で、第１底板を第２底板に部分的に重畳させ、且つ最も端の第１側板を最も端の第２側板に部分的に重畳させた後、最も端の第１側板及び第２側板を展開位置から起立位置へ折り曲げる。又は、最も端の第１側板を重ね位置に位置させ、最も端の第２側板を起立位置に位置させた状態で、第１底板を第２底板に部分的に重畳させる。その後、最も端の第１側板を重ね位置から起立位置へ折り曲げ、最も端の第１側板を最も端の第２側板に部分的に重畳させる。又は、最も端の第１側板を重ね位置に位置させ、最も端の第２側板を展開位置に位置させた状態で、第１底板を第２底板に部分的に重畳させた後、最も端の第１側板を重ね位置から起立位置へ折り曲げると共に、最も端の第２側板を展開位置から起立位置へ折り曲げ、最も端の第１側板を最も端の第２側板に部分的に重畳させる。
【００１２】
第２側板は、第１端部と、第１端部の反対側の第２端部とを有する構成とすることが可能である。第２側板の起立位置で隣り合う第２側板の第１端部と別の第２側板の第２端部が当接した構成とすることが可能である。
【００１３】
このような態様の火床カバーによる場合、火床に対する熱劣化が抑制され且つ火床の内面に煤や食材の油が付着するのを防止することができる。起立位置で隣り合う第２側板の第１端部と別の第２側板の第２端部とが当接することによって、起立位置で隣り合う第２側板間に隙間が生じないからである。
【００１４】
最も端の第１側板は、第１係合部を有した構成とすることが可能である。最も端の第２側板は、第２係合部を有した構成とすることが可能である。第１係合部及び第２係合部のうちの何れか一方が、係合突部を有し、他方が係合突部を係合可能な係合凹部を有する構成とすることが可能である。
【００１５】
このような態様の火床カバーによる場合、係合突部を係合凹部に容易に係合させることができる。具体的には以下の通りである。最も端の第１側板及び第２側板を展開位置に位置させた状態で、第１底板を第２底板に部分的に重畳させ、最も端の第１側板を最も端の第２側板に部分的に重畳させ、且つ係合突部を係合凹部に係合させる。その後、最も端の第１側板及び第２側板を折り畳み位置から起立位置へ折り曲げることができる。又は、最も端の第１側板を重ね位置に位置させ、最も端の第２側板を起立位置に位置させた状態で、第１底板を第２底板に部分的に重畳させる。その後、最も端の第１側板を重ね位置から起立位置へ折り曲げ、最も端の第１側板を最も端の第２側板に部分的に重畳させ、且つ係合突部を係合凹部に係合させる。又は、最も端の第１側板を重ね位置に位置させ、最も端の第２側板を展開位置に位置させた状態で、第１底板を第２底板に部分的に重畳させた後、最も端の第１側板を重ね位置から起立位置へ折り曲げると共に、最も端の第２側板を展開位置から起立位置へ折り曲げ、最も端の第１側板を最も端の第２側板に部分的に重畳させ、且つ係合突部を係合凹部に係合させる。
【００１６】
本発明のバーベキューグリルは、火床と、上記した何れかの態様の火床カバーとを備えている。火床カバーは、火床内に収容されている。
【図面の簡単な説明】
【００１７】
【図１Ａ】本発明の実施例１に係る火床カバーの第１箱部の正面、平面及び右側面を表した斜視図である。
【図１Ｂ】前記火床カバーの前記第１箱部の正面図である。
【図１Ｃ】前記火床カバーの前記第１箱部の平面図である。
【図１Ｄ】前記火床カバーの前記第１箱部の底面図である。
【図１Ｅ】前記火床カバーの前記第１箱部の右側面図である。
【図１Ｆ】前記火床カバーの前記第１箱部の左側面図である。
【図１Ｇ】前記火床カバーの前記第１箱部の展開図である。
【図１Ｈ】前記火床カバーの前記第１箱部と第２箱部とが組み合わせられた状態を示す平面図である。
【図１Ｉ】前記火床カバーがバーベキューグリルの火床に収容された状態を示す概略的左側面図である。
【図２Ａ】本発明の実施例２に係る火床カバーの第１箱部の正面、平面及び右側面を表した斜視図である。
【図２Ｂ】前記火床カバーの前記第１箱部の正面図である。
【図２Ｃ】前記火床カバーの前記第１箱部の平面図である。
【図２Ｄ】前記火床カバーの前記第１箱部の底面図である。
【図２Ｅ】前記火床カバーの前記第１箱部の右側面図である。
【図２Ｆ】前記火床カバーの前記第１箱部の左側面図である。
【図２Ｇ】前記火床カバーの前記第１箱部の展開図である。
【図２Ｈ】前記火床カバーの前記第１箱部と第２箱部とが組み合わせられた状態を示す平面図である。
【図２Ｉ】前記火床カバーがバーベキューグリルの火床に収容された状態を示す概略的左側面図である。
【図３Ａ】本発明の実施例３に係る火床カバーの正面、平面及び右側面を表した斜視図である。
【図３Ｂ】前記火床カバーの正面図である。
【図３Ｃ】前記火床カバーの平面図である。
【図３Ｄ】前記火床カバーの底面図である。
【図３Ｅ】前記火床カバーの右側面図である。
【図３Ｆ】前記火床カバーの展開図である。
【図４Ａ】本発明の実施例４に係る火床カバーの正面、平面及び右側面を表した斜視図である。
【図４Ｂ】前記火床カバーの正面図である。
【図４Ｃ】前記火床カバーの平面図である。
【図４Ｄ】前記火床カバーの底面図である。
【図４Ｅ】前記火床カバーの右側面図である。
【図４Ｆ】前記火床カバーの展開図である。
【図５Ａ】本発明の実施例５に係る火床カバーの正面図を表した斜視図である。
【図５Ｂ】前記火床カバーの平面図である。
【図５Ｃ】前記火床カバーの右側面図である。
【図５Ｄ】前記火床カバーがバーベキューグリルの火床に収容された状態を示す概略的正面図である。
【発明を実施するための形態】
【００１８】
以下、本発明の実施例１〜５について説明する。
【実施例１】
【００１９】
まず、本発明の実施例１に係る火床カバー１００について図１Ａ〜図１Ｉを参照しつつ説明する。火床カバー１００は、金属製の火床Ｆ１（図１Ｉ参照）内に収容可能である。火床カバー１００は、第１箱部１００ａを備えている。なお、図１Ａ及び図１Ｈに示すＹ−Ｙ’方向が火床カバー１００の長手方向及び火床カバー１００の伸縮方向である。図１Ａ及び図１Ｈに示すＸ−Ｘ’方向が火床カバー１００の短手方向である。図１Ａに示すＺ−Ｚ’方向が火床カバー１００の高さ方向である。
【００２０】
第１箱部１００ａは、可撓性を有する金属箔（例えば、アルミ箔）で構成されている。  第１箱部１００ａは第１底板１１０ａを有している。第１底板１１０ａは金属箔（例えば、アルミ箔）で構成された板である。第１底板１１０ａは、第１環状縁を有する。この第１環状縁は、第１縁１１１ａと、第１開放縁１１２ａとを有している。第１開放縁１１２ａは、直線状であっても良いし、円弧状、多角形状や凸凹状等の直線状以外であっても良い。第１縁１１１ａは、第１底板１１０ａの第１環状縁の第１開放縁１１２ａ以外の部分とすることが可能である。第１縁１１１ａは、第１縁１１１ａに沿って並ぶ複数の第１連結部１１１ａ１を有している。第１連結部１１１ａ１は第１縁１１１ａに沿って隙間なく並んでいても良いし、隣り合う第１連結部１１１ａ１の間に隙間を有するように並んでいても良い。第１底板１１０ａが多角形である場合、第１連結部１１１ａ１は、第１底板１１０ａの複数の辺であって良いし、当該辺の一部であっても良い。
【００２１】
図１Ａ〜図１Ｉでは、第１底板１１０ａは、略四角形である。第１開放縁１１２ａは、第１底板１１０ａのＹ’方向の縁である。第１縁１１１ａは第１底板１１０ａの第１開放縁１１２ａ以外の平面視略Ｕ字状の縁である。第１縁１１１ａの第１連結部１１１ａ１は、Ｙ方向の第１連結部１１１ａ１、Ｘ方向の第１連結部１１１ａ１及びＸ’方向の第１連結部１１１ａ１を含む。Ｙ方向の第１連結部１１１ａ１は、第１底板１１０ａのＹ方向の辺である。Ｘ方向の第１連結部１１１ａ１は、第１底板１１０ａのＸ方向の辺である。Ｘ’方向の第１連結部１１１ａ１は、第１底板１１０ａのＸ’方向の辺である。これらの第１連結部１１１ａ１は、第１縁１１１ａに沿って隙間なく並んでいる。
【００２２】
第１箱部１００ａは複数の第１側板１２０ａを更に有している。第１側板１２０ａは、金属箔（例えば、アルミ箔）で構成された板であって、第１底板１１０ａの第１連結部１１１ａ１に各々連接されている。第１側板１２０ａは、少なくとも第１底板１１０ａに対して起立位置から折り畳み位置にかけて各々折り曲げ可能である。第１側板１２０ａは、第１底板１１０ａに対して重ね位置から起立位置を通って展開位置まで各々折り曲げ可能とすることも可能である。起立位置は、第１側板１２０ａが第１底板１１０ａに対して直角又は傾斜した位置である。折り畳み位置は、第１側板１２０ａが第１底板１１０ａと略同一平面上に位置するように展開された位置（展開位置）又は第１側板１２０ａが第１底板１１０ａ上に重なる位置（重ね位置）である。折り畳み位置が展開位置である場合、第１側板１２０ａは、起立位置から火床カバー１００の外側に倒れるように各々折り曲げ可能である。折り畳み位置が重ね位置である場合、第１側板１２０ａは、起立位置から火床カバー１００の内側に倒れるように各々折り曲げ可能である。
【００２３】
図１Ａ〜図１Ｉでは、第１側板１２０ａは、Ｙ方向の第１側板１２０ａ、Ｘ方向の第１側板１２０ａ及びＸ方向の第１側板１２０ａを含む。Ｙ方向の第１側板１２０ａは、Ｙ方向の第１連結部１１１ａ１に連接されている。Ｙ方向の第１側板１２０ａは、上下逆台形状である。Ｙ方向の第１側板１２０ａは、起立位置で、第１底板１１０ａに対して直角である。Ｘ方向の第１側板１２０ａは、Ｘ方向の第１連結部１１１ａ１に連接されている。Ｘ’方向の第１側板１２０ａは、Ｘ’方向の第１連結部１１１ａ１に連接されている。Ｘ方向の第１側板１２０ａ及びＸ’方向の第１側板１２０ａは略長方形である。Ｘ方向の第１側板１２０ａ及びＸ’方向の第１側板１２０ａは、起立位置で、第１底板１１０ａに対して傾斜している。換言すると、Ｘ方向の第１側板１２０ａ及びＸ’方向の第１側板１２０ａは、起立位置で、火床カバー１００の外側に傾斜しつつＺ−Ｚ’方向に延びている。
【００２４】
第１側板１２０ａは、第１端部１２１ａと、第２端部１２２ａとを有している。第２端部１２２ａは、第１端部１２１ａの反対側の端部である。起立位置で隣り合う第１側板１２０ａの第１端部１２１ａと別の第１側板１２０ａの第２端部１２２ａとが隣り合うようになっている。図１Ａ〜図１Ｉでは、Ｙ方向の第１側板１２０ａの第１端部１２１ａは、Ｙ方向の第１側板１２０ａのＸ方向の端部であり、Ｙ方向の第１側板１２０ａの第２端部１２２ａは、Ｙ方向の第１側板１２０ａのＸ’方向の端部である。Ｘ方向の第１側板１２０ａの第１端部１２１ａは、Ｘ方向の第１側板１２０ａのＹ’方向の端部であり、Ｘ方向の第１側板１２０ａの第２端部１２２ａは、Ｘ方向の第１側板１２０ａのＹ’方向の端部である。Ｘ’方向の第１側板１２０ａの第１端部１２１ａは、Ｘ’方向の第１側板１２０ａのＹ方向の端部であり、Ｘ’方向の第１側板１２０ａの第２端部１２２ａは、Ｘ’方向の第１側板１２０ａのＹ’方向の端部である。
【００２５】
起立位置で隣り合う第１側板１２０ａの第１端部１２１ａと別の第１側板１２０ａの第２端部１２２ａとが当接しても良いし、当接しなくても良い。図１Ａ〜図１Ｉでは、起立位置で、Ｙ方向の第１側板１２０ａの第１端部１２１ａが、Ｘ方向の第１側板１２０ａの第２端部１２２ａに当接し、且つＹ方向の第１側板１２０ａの第２端部１２２ａが、Ｘ’方向の第１側板１２０ａの第１端部１２１ａに当接する。第１端部１２１ａ及び第２端部１２２ａの少なくとも一方を部分的に切り欠くことが可能である。切り欠かされた部分は、通気孔としても良い。
【００２６】
火床カバー１００は、第２箱部１００ｂを備えていても良いし、備えていなくても良い。換言すると、火床カバー１００は、第１箱部１００ａのみを備えた構成とすることが可能である。第２箱部１００ｂは、Ｙ−Ｙ’方向において第１箱部１００ａと対称形状である以外、第１箱部１００ａと同様の構成である。よって、第２箱部１００ｂの説明のうち、第１箱部１００ａの説明と重複するものについては省略する。
【００２７】
第２箱部１００ｂは第２底板１１０ｂを有している。第２底板１１０ｂは、第１底板１１０ａと対称形状である以外、第１底板１１０ａと同様の構成である。第２底板１１０ｂは、第２環状縁を有する。この第２環状縁が、第２縁１１１ｂと、第２開放縁１１２ｂとを有している。第２縁１１１ｂは、第１縁１１１ａと対称形状である以外、第１縁１１１ａと同様の構成である。第２縁１１１ｂは、第２縁１１１ｂに沿って並ぶ複数の第２連結部１１１ｂ１を有している。第２連結部１１１ｂ１は第２縁１１１ｂに沿って隙間なく並んでいても良いし、隣り合う第２連結部１１１ｂ１の間に隙間を有するように並んでいても良い。第２連結部１１１ｂ１は、第２底板１１０ｂの辺又は当該辺の一部であっても良い。
【００２８】
図１Ｈでは、第２底板１１０ｂは、略四角形である。第２開放縁１１２ｂは、第２底板１１０ｂのＹ方向の縁である。第２縁１１１ｂは第２底板１１０ｂの第２環状縁の第２開放縁１１２ｂ以外の部分（平面視略Ｕ字状の縁）である。第２縁１１１ｂの第２連結部１１１ｂ１は、Ｙ’方向の第２連結部１１１ｂ１、Ｘ方向の第２連結部１１１ｂ１及びＸ’方向の第２連結部１１１ｂ１を含む。Ｙ方向の第２連結部１１１ｂ１は、第２底板１１０ｂのＹ’方向の辺である。Ｘ方向の第２連結部１１１ｂ１は、第２底板１１０ｂのＸ方向の辺である。Ｘ’方向の第２連結部１１１ｂ１は、第２底板１１０ｂのＸ’方向の辺である。これらの第２連結部１１１ｂ１は、第２縁１１１ｂに沿って隙間なく並んでいる。
【００２９】
第２箱部１００ｂの複数の第２側板１２０ｂは、第２底板１１０ｂの第２連結部１１１ｂ１に各々連接されている。第２側板１２０ｂは、少なくとも第２底板１１０ｂに対して起立位置から折り畳み位置にかけて各々折り曲げ可能である。第２側板１２０ｂは、第２底板１１０ｂに対して重ね位置から起立位置を通って折り畳み位置まで各々折り曲げ可能とすることも可能である。起立位置は、第２側板１２０ｂが第２底板１１０ｂに対して傾斜した位置である。折り畳み位置は、第２側板１２０ｂが第２底板１１０ｂと略同一平面上に位置するように展開された位置（展開位置）又は第２側板１２０ｂが第２底板１１０ｂ上に重なる位置（重ね位置）である。折り畳み位置が展開位置である場合、第２側板１２０ｂは、第２底板１１０ｂに対して火床カバー１００の外側に倒れるように各々折り曲げ可能である。折り畳み位置が重ね位置である場合、第２側板１２０ｂは、第２底板１１０ｂに対して火床カバー１００の内側に倒れるように各々折り曲げ可能である。
【００３０】
図１Ｈでは、第２側板１２０ｂは、Ｙ’方向の第２側板１２０ｂ、Ｘ方向の第２側板１２０ｂ及びＸ方向の第２側板１２０ｂを含む。Ｙ’方向の第２側板１２０ｂは、Ｙ’方向の第２連結部１１１ｂ１に連接されている。Ｙ’方向の第２側板１２０ｂは、上下逆台形状である。Ｙ方向の第２側板１２０ｂは、起立位置で、第２底板１１０ｂに対して直角である。Ｘ方向の第２側板１２０ｂは、Ｘ方向の第２連結部１１１ｂ１に連接されている。Ｘ’方向の第２側板１２０ｂは、Ｘ’方向の第２連結部１１１ｂ１に連接されている。Ｘ方向の第２側板１２０ｂ及びＸ’方向の第２側板１２０ｂは略長方形である。Ｘ方向の第２側板１２０ｂ及びＸ’方向の第２側板１２０ｂは、起立位置で、第２底板１１０ｂに対して傾斜している。換言すると、Ｘ方向の第２側板１２０ｂ及びＸ’方向の第２側板１２０ｂは、起立位置で、火床カバー１００の外側に傾斜しつつＺ−Ｚ’方向に延びている。
【００３１】
第２側板１２０ｂは、第１端部１２１ｂと、第２端部１２２ｂとを有している。第２端部１２２ｂは、第１端部１２１ｂの反対側の端部である。起立位置で隣り合う第２側板１２０ｂの第１端部１２１ｂと別の第２側板１２０ｂの第２端部１２２ｂとが隣り合う。図１Ａ〜図１Ｉでは、Ｙ’方向の第２側板１２０ｂの第１端部１２１ｂは、Ｙ’方向の第２側板１２０ｂのＸ方向の端部であり、Ｙ’方向の第２側板１２０ｂの第２端部１２２ｂは、Ｙ’方向の第２側板１２０ｂのＸ’方向の端部である。Ｘ方向の第２側板１２０ｂの第１端部１２１ｂは、Ｘ方向の第２側板１２０ｂのＹ方向の端部であり、Ｘ方向の第２側板１２０ｂの第２端部１２２ｂは、Ｘ方向の第２側板１２０ｂのＹ’方向の端部である。Ｘ’方向の第２側板１２０ｂの第１端部１２１ｂは、Ｘ’方向の第２側板１２０ｂのＹ’方向の端部であり、Ｘ’方向の第２側板１２０ｂの第２端部１２２ｂは、Ｘ’方向の第２側板１２０ｂのＹ方向の端部である。
【００３２】
起立位置で隣り合う第２側板１２０ｂの第１端部１２１ｂと別の第２側板１２０ｂの第２端部１２２ｂとが当接しても良いし、当接しなくても良い。図１Ｈでは、起立位置で、Ｙ’方向の第２側板１２０ｂの第１端部１２１ｂが、Ｘ方向の第２側板１２０ｂの第２端部１２２ｂに当接し、且つＹ’方向の第２側板１２０ｂの第２端部１２２ｂが、Ｘ’方向の第２側板１２０ｂの第１端部１２１ｂに当接する。
【００３３】
第１側板１２０ａは、最も第１底板１１０ａの第１開放縁１１２ａ側（火床カバー１００の伸縮方向の一方側）に配置される二つの最も端の第１側板１２０ａを含む。第１底板１１０ａの第１開放縁１１２ａは、二つの最も端の第１側板１２０ａの間に位置する。第２側板１２０ｂは、最も第２底板１１０ｂの第２開放縁１１２ｂ側（火床カバー１００の伸縮方向の他方側）に配置される二つの最も端の第２側板１２０ｂを含む。第２底板１１０ｂの第２開放縁１１２ｂは、二つの最も端の第２側板１２０ｂの間に位置する。図１Ａ〜図１Ｉでは、Ｘ方向の第１側板１２０ａ及びＸ’方向の第１側板１２０ａが最も端の第１側板に相当し、Ｘ方向の第２側板１２０ｂ及びＸ’方向の第２側板１２０ｂが最も端の第２側板に相当する。
【００３４】
第１底板１１０ａが第２底板１１０ｂに部分的に重畳可能であり、且つ起立位置の最も端の第１側板１２０ａが起立位置の最も端の第２側板１２０ｂに部分的に重畳可能である。第１底板１１０ａの第２底板１１０ｂに対する重畳量及び最も端の第１側板１２０ａの最も端の第２側板１２０ｂに対する重畳量が調整されることによって、火床カバー１００をＹ−Ｙ’方向において伸縮させることが可能になっている。図１Ｈでは、第１底板１１０ａが第２底板１１０ｂに部分的に重畳可能であり、起立位置のＸ方向の第１側板１２０ａが起立位置のＸ方向の第２側板１２０ｂに部分的に重畳可能であり、且つ起立位置のＸ’方向の第１側板１２０ａが起立位置のＸ’方向の第２側板１２０ｂに部分的に重畳可能である。
【００３５】
最も端の第１側板１２０ａは、少なくとも一つの第１係合部１２３ａを更に有していても良い。最も端の第２側板１２０ｂは、少なくとも一つの第２係合部１２３ｂを更に有していても良い。起立位置の最も端の第１側板１２０ａを起立位置の最も端の第２側板１２０ｂに部分的に重畳させた状態で、第１係合部１２３ａが第２係合部１２３ｂに係合可能である。なお、図１Ｈでは、第１係合部１２３ａと第２係合部１２３ｂとは係合していない。
【００３６】
第１係合部１２３ａは、最も端の第１側板１２０ａに設けられた係合突部及び係合凹部の少なくとも一方を有する。第２係合部１２３ｂは、最も端の第２側板１２０ｂに設けられた係合凹部及び係合突部の少なくとも一方を有する。第１係合部１２３ａの係合突部が第２係合部１２３ｂの係合凹部に係合される構成とすることが可能である。又は、第２係合部１２３ｂの係合突部が第１係合部１２３ａの係合凹部に係合される構成とすることが可能である。
【００３７】
図１Ａ〜図１Ｉでは、第１係合部１２３ａが最も端の第１側板１２０ａにＹ−Ｙ’方向に間隔をあけて複数設けられている。各第１係合部１２３ａは、第１係合突部と、第１係合凹部とを有している。第１係合突部は、第１側板１２０ａに設けられた当該第１側板１２０ａの内側に凸の突起である。第１係合凹部は、第１係合突部の裏側に設けられた凹部である。第１係合突部及び第１係合凹部は第１側板１２０ａの傾斜方向に延びていても良い。第２係合部１２３ｂが最も端の第２側板１２０ｂにＹ−Ｙ’方向に間隔をあけて複数設けられている。第２係合部１２３ｂは、第２係合突部と、第２係合凹部とを有している。第２係合突部は、第２側板１２０ｂに設けられた当該第２側板１２０ｂの内側に凸の突起である。第２係合凹部は、第２係合突部の裏側に設けられた凹部である。第２係合突部及び第２係合凹部は第２側板１２０ｂの傾斜方向に延びていても良い。起立位置の最も端の第１側板１２０ａを起立位置の最も端の第２側板１２０ｂに部分的に重畳させた状態で、少なくとも一つの第１係合部１２３ａの第１係合突部が少なくとも一つの第２係合部１２３ｂの第２係合凹部に係合可能である。
【００３８】
第１側板１２０ａ及び／又は第２側板１２０ｂには、一又は複数の通気孔が設けられていても良い。図１Ａ〜図１Ｉでは、Ｙ方向の第１側板１２０ａ及びＹ’方向の第２側板１２０ｂに複数の通気孔が設けられている。
【００３９】
以上のような構成の火床カバー１００は、次のように製造される。可撓性を有する金属箔（例えば、厚さ０.０３５〜０.０６ｍｍのアルミ箔）を図示しない金型を用いてプレス成形することによって、展開状態の第１箱部１００ａ（図１Ｇ参照）及び第２箱部１００ｂを各々形成する。又は、可撓性を有する金属箔（例えば、厚さ０.０３５〜０.０６ｍｍのアルミ箔）を図示しない金型を用いてプレス成形することによって、第１底板１１０ａ及び第２底板１１０ｂが接合され、且つ最も端の第１側板１２０ａ及び最も端の第２側板１２０ｂが接合された展開状態のカバーを形成する。後者の場合、プレス成形されたカバーを略半分に切断する。切断された一方が第１箱部１００ａ、もう一方が第２箱部１００ｂとなる。このようにして火床カバー１００が製造される。
【００４０】
以下、火床カバー１００の第１箱部１００ａと第２箱部１００ｂとを組み合わせる四つの方法について詳しく説明する。第１の組み合わせ方法は以下の通りである。第１箱部１００ａと第２箱部１００ｂを用意する。第１箱部１００ａの第１側板１２０ａが展開位置に位置し、第２箱部１００ｂの第２側板１２０ｂが展開位置に位置している。その後、第１箱部１００ａを第２箱部１００ｂにＹ−Ｙ’方向に相対的に接近させ、第１箱部１００ａの第１底板１１０ａを第２箱部１００ｂの第２底板１１０ｂ上に部分的に重畳させると共に、最も端の第１側板１２０ａを最も端の第２側板１２０ｂ上に部分的に重畳させる。そして、第１底板１１０ａの第２底板１１０ｂに対する重畳量及び最も端の第１側板１２０ａの最も端の第２側板１２０ｂに対する重畳量を調整する。最も端の第１側板１２０ａが第１係合部１２３ａを有し且つ最も端の第２側板１２０ｂが第２係合部１２３ｂを有している場合、最も端の第１側板１２０ａを最も端の第２側板１２０ｂ上に部分的に重畳させるときに、第１係合部１２３ａが第２係合部１２３ｂに係合する。その後、第１側板１２０ａを展開位置（折り畳み位置）から起立位置へ折り曲げると共に、第２側板１２０ｂを展開位置（折り畳み位置）から起立位置へ折り曲げる。このようにして第１箱部１００ａと第２箱部１００ｂとを組み合わせられ且つ火床カバー１００となる。
【００４１】
第２の組み合わせ方法は以下の通りである。第１箱部１００ａと第２箱部１００ｂを用意する。第１箱部１００ａの第１側板１２０ａが重ね位置に位置し、第２箱部１００ｂの第２側板１２０ｂが起立位置に位置している。その後、第１箱部１００ａを第２箱部１００ｂにＹ−Ｙ’方向に相対的に接近させ、第１箱部１００ａの第１底板１１０ａを第２箱部１００ｂの第２底板１１０ｂ上に部分的に重畳させる。そして、第１底板１１０ａの第２底板１１０ｂに対する重畳量を調整する。この調整が、最も端の第１側板１２０ａの最も端の第２側板１２０ｂに対する重畳量を調整することになる。その後、第１側板１２０ａを重ね位置（折り畳み位置）から起立位置へ折り曲げ、最も端の第１側板１２０ａを最も端の第２側板１２０ｂ上に部分的に重畳させる。最も端の第１側板１２０ａが第１係合部１２３ａを有し且つ最も端の第２側板１２０ｂが第２係合部１２３ｂを有している場合、最も端の第１側板１２０ａを最も端の第２側板１２０ｂ上に部分的に重畳させるときに、第１係合部１２３ａが第２係合部１２３ｂに係合する。このようにしても第１箱部１００ａと第２箱部１００ｂとを組み合わせられ且つ火床カバー１００となる。
【００４２】
第３の組み合わせ方法は以下の通りである。第１箱部１００ａと第２箱部１００ｂを用意する。第１箱部１００ａの第１側板１２０ａが起立位置に位置し、第２箱部１００ｂの第２側板１２０ｂが展開位置に位置している。その後、第１箱部１００ａを第２箱部１００ｂにＹ−Ｙ’方向に相対的に接近させ、第１箱部１００ａの第１底板１１０ａを第２箱部１００ｂの第２底板１１０ｂ上に部分的に重畳させる。そして、第１底板１１０ａの第２底板１１０ｂに対する重畳量を調整する。この調整が、最も端の第１側板１２０ａの最も端の第２側板１２０ｂに対する重畳量を調整することになる。その後、第２側板１２０ｂを展開位置（折り畳み位置）から起立位置へ折り曲げ、最も端の第１側板１２０ａを最も端の第２側板１２０ｂ上に部分的に重畳させる。最も端の第１側板１２０ａが第１係合部１２３ａを有し且つ最も端の第２側板１２０ｂが第２係合部１２３ｂを有している場合、最も端の第１側板１２０ａを最も端の第２側板１２０ｂ上に部分的に重畳させるときに、第１係合部１２３ａが第２係合部１２３ｂに係合する。このようにしても第１箱部１００ａと第２箱部１００ｂとを組み合わせられ且つ火床カバー１００となる。
【００４３】
第４の組み合わせ方法は以下の通りである。第１箱部１００ａと第２箱部１００ｂを用意する。第１箱部１００ａの第１側板１２０ａが重ね位置に位置し、第２箱部１００ｂの第２側板１２０ｂが展開位置に位置している。その後、第１箱部１００ａを第２箱部１００ｂにＹ−Ｙ’方向に相対的に接近させ、第１箱部１００ａの第１底板１１０ａを第２箱部１００ｂの第２底板１１０ｂ上に部分的に重畳させる。そして、第１底板１１０ａの第２底板１１０ｂに対する重畳量を調整する。この調整が、最も端の第１側板１２０ａの最も端の第２側板１２０ｂに対する重畳量を調整することになる。その後、第１側板１２０ａを重ね位置（折り畳み位置）から起立位置へ折り曲げると共に、第２側板１２０ｂを展開位置（折り畳み位置）から起立位置へ折り曲げ、最も端の第１側板１２０ａを最も端の第２側板１２０ｂ上に部分的に重畳させる。最も端の第１側板１２０ａが第１係合部１２３ａを有し且つ最も端の第２側板１２０ｂが第２係合部１２３ｂを有している場合、最も端の第１側板１２０ａを最も端の第２側板１２０ｂ上に部分的に重畳させるときに、第１係合部１２３ａが第２係合部１２３ｂに係合する。このようにしても第１箱部１００ａと第２箱部１００ｂとを組み合わせられ且つ火床カバー１００となる。
【００４４】
上記第１〜第４組み合わせ方向の何れの場合も、最も端の第１側板１２０ａを最も端の第２側板１２０ｂ上に部分的に重畳させる前又は後に、最も端の第１側板１２０ａ以外の第１側板１２０ａを折り畳み位置から起立位置へ折り曲げ、且つ最も端の第２側板１２０ｂ以外の第２側板１２０ｂを折り畳み位置から起立位置へ折り曲げる。このとき、隣り合う第１側板１２０ａの第１端部１２１ａと別の第１側板１２０ａの第２端部１２２ａとが各々当接し、且つ隣り合う第２側板１２０ｂの第１端部１２１ｂと別の第２側板１２０ｂの第２端部１２２ｂとが各々当接する。
【００４５】
以下、本発明の実施例１に係るバーベキューグリルについて図１Ｉを参照しつつ説明する。バーベキューグリルは、火床カバー１００と、火床Ｆ１とを備えている。火床Ｆ１は、火床カバー１００を収容可能な金属製（例えば、ステンレスやスチール製）の箱である。火床Ｆ１は、底板Ｆ１１と、複数の側板Ｆ１２とを有している。
【００４６】
底板Ｆ１１は、金属製（例えば、ステンレスやスチール製）の多角形状の板である。底板Ｆ１１上に火床カバー１００の第１底板１１０ａ及び第２底板１１０ｂが載置可能である。底板Ｆ１１は、複数の辺を有している。図１Ａ〜図１Ｉでは、底板Ｆ１１は四角形であって、Ｙ方向の辺、Ｙ’方向の辺、Ｘ方向の辺及びＸ’方向の辺を有している。
【００４７】
側板Ｆ１２は、底板Ｆ１１の辺に各々立設されている。隣り合う側板Ｆ１２は互いに連結されている。側板Ｆ１２上に火床カバー１００の第１側板１２０ａ及び／又は第２側板１２０ｂが当接可能である。図１Ｉでは、側板Ｆ１２は、Ｙ方向の側板Ｆ１２、Ｙ’方向の側板（図示なし）、Ｘ方向の側板Ｆ１２及びＸ’方向の側板Ｆ１２を含む。Ｙ方向の側板Ｆ１２はＹ方向の辺に立設されており且つ底板Ｆ１１に対して直角である。Ｙ’方向の側板はＹ’方向の辺に立設されており且つ底板Ｆ１１に対して直角である。Ｘ方向の側板Ｆ１２はＸ方向の辺に立設されており且つ底板Ｆ１１に対して傾斜している。Ｘ’方向の側板Ｆ１２はＸ’方向の辺に立設されており且つ底板Ｆ１１に対して傾斜している。側板Ｆ１２には、当該側板Ｆ１２を貫通した一又は複数の通気孔が設けられていても良い。
【００４８】
上記バーベキューグリルは、図示しない脚を更に備えていても良い。脚は、上記した何れかの態様の火床Ｆ１を中空で支持する。
【００４９】
上記バーベキューグリルの火床Ｆ１内に、上記の通り組み合わされた火床カバー１００を配置する。その後、この火床カバー１００内に炭や薪等の加熱燃料を入れ、当該加熱燃料を加熱させる。火床カバー１００及び火床Ｆ１上には、図示しない網又は鉄板を載置する。この網又は鉄板上に食材を載せて当該食材を加熱料理することができる。この火床カバー１００が、加熱燃料の熱から火床Ｆ１を保護するので、火床Ｆ１の熱劣化が抑制される。また、加熱燃料の煤や食材の油が火床Ｆ１に付着することが火床カバー１００により防止される。
【００５０】
以上のような火床カバー１００及びバーベキューグリルは、以下の技術的特徴を有する。第１に、火床カバー１００の収容性が向上する。その理由は次の通りである。第１箱部１００ａの第１側板１２０ａを展開位置又は重ね位置に位置させ、且つ第２箱部１００ｂの第１側板１２０ａを展開位置又は重ね位置に位置させた状態で、第１箱部１００ａ及び第２箱部１００ｂを重ねて収納することができる。
【００５１】
第２に、第１箱部１００ａの第１底板１１０ａを第２箱部１００ｂの第２底板１１０ｂ上に容易に重畳させ、且つ最も端の第１側板１２０ａを最も端の第２側板１２０ｂ上に容易に重畳させることができる。従来の火床カバーは、立体形状であるため、第１箱部の最も端の側板を湾曲させ、第１箱部の最も端の側板を第２箱部の最も端の側板に重畳させる必要がある。しかし、火床カバー１００は、以下の通りである。最も端の第１側板１２０ａ及び最も端の第２側板１２０ｂが展開位置に位置した状態で、第１底板１１０ａを第２底板１１０ｂに部分的に重畳させ、且つ最も端の第１側板１２０ａを最も端の第２側板１２０ｂに部分的に重畳させることができる。又は、最も端の第１側板１２０ａを重ね位置に位置させ且つ最も端の第２側板１２０ｂを起立位置又は展開位置に位置させた状態で、第１底板１１０ａを第２底板１１０ｂに部分的に重畳させた後、最も端の第１側板１２０ａを重ね位置から起立位置へ折り曲げて起立位置に位置した最も端の第２側板１２０ｂに部分的に重畳させることができる。又は、最も端の第１側板１２０ａを起立位置に位置させ、且つ最も端の第２側板１２０ｂを展開位置に位置させた状態で、第１底板１１０ａを第２底板１１０ｂに部分的に重畳させた後、最も端の第２側板１２０ｂを展開位置から起立位置へ折り曲げて、最も端の第１側板１２０ａを最も端の第２側板１２０ｂに部分的に重畳させることができる。
【００５２】
第３に、最も端の第１側板１２０ａが第１係合部１２３ａを有し且つ最も端の第２側板１２０ｂが第２係合部１２３ｂを有する場合、第１係合部１２３ａと第２係合部１２３ｂとの係合が容易になる。最も端の第１側板１２０ａを最も端の第２側板１２０ｂに部分的に重畳させると同時に、第１係合部１２３ａと第２係合部１２３ｂとの係合を実現できるからである。
【実施例２】
【００５３】
次に、本発明の実施例２に係る火床カバー１００’について図２Ａ〜図２Ｉを参照しつつ説明する。火床カバー１００’は、金属製の火床Ｆ２（図２Ｉ参照）内に収容可能である。火床カバー１００’は、第１箱部１００ａ’を備えている。なお、図２Ａ及び図２Ｈに示すＹ−Ｙ’方向が火床カバー１００’の長手方向である。図２Ａ及び図２Ｈに示すＸ−Ｘ’方向が火床カバー１００’の短手方向である。図２Ａに示すＺ−Ｚ’方向が火床カバー１００’の高さ方向である。
【００５４】
第１箱部１００ａ’は、全ての第１側板１２０ａ’が起立位置でＺ−Ｚ’方向に延びている点で相違する以外、実施例１の第１箱部１００ａと同じ構成である。よって、第１箱部１００ａ’の説明のうち、実施例１の第１箱部１００ａの説明と重複するものについては省略する。
【００５５】
第１箱部１００ａ’は、第１底板１１０ａ’及び複数の第１側板１２０ａ’を有している。第１底板１１０ａ’は第１縁１１１ａ’と、第１開放縁１１２ａ’とを有している。第１縁１１１ａ’は、複数の第１連結部１１１ａ１’を有している。第１側板１２０ａ’は、第１端部１２１ａ’と、第２端部１２２ａ’とを有している。第１側板１２０ａ’のうち最も端の第１側板１２０ａ’は、第１係合部１２３ａ’を有していても良い。
【００５６】
火床カバー１００’は、第２箱部１００ｂ’を備えていても良いし、備えていなくても良い。換言すると、火床カバー１００’は、第１箱部１００ａ’のみを備えた構成とすることが可能である。第２箱部１００ｂ’は、第２底板１１０ｂ’及び複数の第２側板１２０ｂ’を有している。第２底板１１０ｂ’は第２縁１１１ｂ’と、第２開放縁１１２ｂ’とを有している。第２縁１１１ｂ’は、複数の第２連結部１１１ｂ１’を有している。第２側板１２０ｂ’は、第１端部１２１ｂ’と、第２端部１２２ｂ’とを有している。第２側板１２０ｂ’のうち最も端の第２側板１２０ｂ’は、第２係合部１２３ｂ’を有していても良い。
【００５７】
以上のような構成の火床カバー１００’も火床カバー１００と同様に製造される。また、火床カバー１００’の第１箱部１００ａ’と第２箱部１００ｂ’とは、実施例１と同様に四つの組み合わせ方法の何れかで組み合わせられる。組み合わせ状態で、第１底板１１０ａ’が第２底板１１０ｂ’に部分的に重畳され、起立位置の最も端の第１側板１２０ａ’が起立位置の最も端の第２側板１２０ｂ’に部分的に重畳される。第１底板１１０ａ’の第２底板１１０ｂ’に対する重畳量及び最も端の第１側板１２０ａ’の最も端の第２側板１２０ｂ’に対する重畳量が調整されることによって、火床カバー１００’がＹ−Ｙ’方向において伸縮される。
【００５８】
以下、本発明の実施例２に係るバーベキューグリルについて図２Ｉを参照しつつ説明する。バーベキューグリルは、火床カバー１００’と、火床Ｆ２とを備えている。火床Ｆ２は、火床カバー１００’を収容可能な金属製（例えば、ステンレスやスチール製）の箱である。火床Ｆ２は、底板Ｆ２１と、複数の側板Ｆ２２を有している。底板Ｆ２１は、実施例１の火床Ｆ１の底板Ｆ１１と同様の構成である。図２Ｉでは、側板Ｆ２２は、Ｙ方向の側板Ｆ２２、Ｙ’方向の側板Ｆ２２、Ｘ方向の側板Ｆ２２及びＸ’方向の側板Ｆ２２を含む。火床Ｆ２は、Ｘ方向の側板Ｆ２２及びＸ’方向の側板Ｆ２２が底板Ｆ１１に対して直角である点で、火床Ｆ１と相違する以外、火床Ｆ１と同様の構成である。上記バーベキューグリルは、図示しない脚を更に備えていても良い。脚は、上記した何れかの態様の火床Ｆ２を中空で支持する。
【００５９】
上記バーベキューグリルの火床Ｆ２内に、組み合わされた火床カバー１００’を配置する。その後、この火床カバー１００’内に炭や薪等の加熱燃料を入れ、当該加熱燃料を加熱させる。火床カバー１００’及び火床Ｆ２上には、図示しない網又は鉄板を載置する。この網又は鉄板上に食材を載せて当該食材を焼くことができる。この火床カバー１００’が、加熱燃料の熱から火床Ｆ２を保護するので、火床Ｆ２の熱劣化が抑制される。また、加熱燃料の煤や食材の油が火床Ｆ２に付着することが火床カバー１００により防止される。
【００６０】
以上のような火床カバー１００’及びバーベキューグリルは、火床カバー１００及びバーベキューグリルと同じ第１〜第３の技術的特徴を有する。
【実施例３】
【００６１】
次に、本発明の実施例３に係る火床カバー２００について図３Ａ〜図３Ｆを参照しつつ説明する。火床カバー２００は、金属製の火床Ｆ１（図１Ｉを借りて参照）内に収容可能である。なお、図３Ａに示すＹ−Ｙ’方向が火床カバー２００の長手方向である。図３Ａに示すＸ−Ｘ’方向が火床カバー２００の短手方向である。図３Ａに示すＺ−Ｚ’方向が火床カバー２００の高さ方向である。
【００６２】
火床カバー２００は、可撓性を有する金属箔（例えば、アルミ箔）で構成されている。  火床カバー２００は底板２１０（第１底板）を有している。底板２１０は金属箔（例えば、アルミ箔）で構成された多角形状の板である。底板２１０は、多角形の環状の縁２１１（第１縁）を有している。縁２１１は、縁２１１に沿って並ぶ複数の連結部２１１１（第１連結部）を有している。連結部２１１１は縁２１１に沿って隙間なく並んでいても良いし、隣り合う連結部２１１１の間に隙間を有するように並んでいても良い。連結部２１１１は、底板２１０の辺又は当該辺の一部であっても良い。
【００６３】
図３Ａ〜図３Ｆでは、底板２１０は、略四角形である。縁２１１は四角形の環状である。縁２１１の連結部２１１１は、Ｙ方向の連結部２１１１、Ｙ’方向の連結部２１１１、Ｘ方向の連結部２１１１及びＸ’方向の連結部２１１１を含む。Ｙ方向の連結部２１１１は、底板２１０のＹ方向の辺である。Ｙ’方向の連結部２１１１は、底板２１０のＹ’方向の辺である。Ｘ方向の連結部２１１１は、底板２１０のＸ方向の辺である。Ｘ’方向の連結部２１１１は、底板２１０のＸ’方向の辺である。これらの連結部２１１１は、縁２１１に沿って隙間なく並んでいる。
【００６４】
火床カバー２００は複数の側板２２０（第１側板）を更に有している。側板２２０は、底板２１０の連結部２１１１に各々連接されている。側板２２０は、少なくとも底板２１０に対して起立位置から折り畳み位置にかけて各々折り曲げ可能である。側板２２０は、底板２１０に対して重ね位置から起立位置を通って折り畳み位置まで各々折り曲げ可能とすることも可能である。起立位置は、側板２２０が底板２１０に対して直角又は傾斜した位置である。折り畳み位置は、側板２２０が底板２１０と略同一平面上に位置するように展開された位置（展開位置）又は側板２２０が底板２１０上に重なる位置（重ね位置）である。折り畳み位置が展開位置である場合、側板２２０は、底板２１０に対して火床カバー２００の外側に倒れるように各々折り曲げ可能である。折り畳み位置が重ね位置である場合、側板２２０は、底板２１０に対して火床カバー２００の内側に倒れるように各々折り曲げ可能である。
【００６５】
図３Ａ〜図３Ｆでは、側板２２０は、Ｙ方向の側板２２０、Ｙ’方向の側板２２０、Ｘ方向の側板２２０及びＸ方向の側板２２０を含む。Ｙ方向の側板２２０は、Ｙ方向の連結部２１１１に連接されている。Ｙ’方向の側板２２０は、Ｙ’方向の連結部２１１１に連接されている。Ｙ方向の側板２２０及びＹ’方向の側板２２０は、上下逆台形状である。Ｙ方向の側板２２０及びＹ’方向の側板２２０は、起立位置で、底板２１０に対して直角である。Ｘ方向の側板２２０は、Ｘ方向の連結部２１１１に連接されている。Ｘ’方向の側板２２０は、Ｘ’方向の連結部２１１１に連接されている。Ｘ方向の側板２２０及びＸ’方向の側板２２０は略長方形である。Ｘ方向の側板２２０及びＸ’方向の側板２２０は、起立位置で、底板２１０に対して傾斜している。換言すると、Ｘ方向の側板２２０及びＸ’方向の側板２２０は、起立位置で、火床カバー２００の外側に傾斜しつつＺ−Ｚ’方向に延びている。
【００６６】
側板２２０は、第１端部２２１と、第２端部２２２とを有している。第２端部２２２は、第１端部２２１の反対側の端部である。起立位置で隣り合う側板２２０の第１端部２２１と別の側板２２０の第２端部２２２とが隣り合う。図３Ａ〜図３Ｆでは、Ｙ方向の側板２２０の第１端部２２１は、Ｙ方向の側板２２０のＸ方向の端部であり、Ｙ方向の側板２２０の第２端部２２２は、Ｙ方向の側板２２０のＸ’方向の端部である。Ｙ’方向の側板２２０の第１端部２２１は、Ｙ’方向の側板２２０のＸ’方向の端部であり、Ｙ’方向の側板２２０の第２端部２２２は、Ｙ’方向の側板２２０のＸ方向の端部である。Ｘ方向の側板２２０の第１端部２２１は、Ｘ方向の側板２２０のＹ’方向の端部であり、Ｘ方向の側板２２０の第２端部２２２は、Ｘ方向の側板２２０のＹ方向の端部である。Ｘ’方向の側板２２０の第１端部２２１は、Ｘ’方向の側板２２０のＹ方向の端部であり、Ｘ’方向の側板２２０の第２端部２２２は、Ｘ’方向の側板２２０のＹ’方向の端部である。
【００６７】
起立位置で隣り合う側板２２０の第１端部２２１と別の側板２２０の第２端部２２２とが当接しても良いし、当接しなくても良い。図３Ａ〜図３Ｆでは、起立位置で、Ｙ方向の側板２２０の第１端部２２１が、Ｘ方向の側板２２０の第２端部２２２に当接し、Ｙ方向の側板２２０の第２端部２２２が、Ｘ’方向の側板２２０の第１端部２２１に当接し、Ｙ’方向の側板２２０の第１端部２２１が、Ｘ’方向の側板２２０の第２端部２２２に当接し、且つＹ’方向の側板２２０の第２端部２２２が、Ｘ方向の側板２２０の第１端部２２１に当接している。
【００６８】
以上のような構成の火床カバー２００は、次の通り製造される。可撓性を有する金属箔（例えば、厚さ０.０３５〜０.０６ｍｍのアルミ箔）を図示しない金型を用いてプレス成形することによって、展開状態の火床カバー２００（図３Ｆ参照）が製造される。火床カバー２００の側板２２０を折り畳み位置から起立位置に折り曲げることによって、火床カバー２００が箱型となる。
【００６９】
以下、本発明の実施例３に係るバーベキューグリルは、火床カバー２００と、上記火床Ｆ１とを備えている。火床Ｆ１は、火床カバー２００を収容可能である。
【００７０】
上記バーベキューグリルの火床Ｆ１内に、箱型の火床カバー２００が配置される。その後、この火床カバー２００内に炭や薪等の加熱燃料を入れ、当該加熱燃料を加熱させる。火床カバー２００及び火床Ｆ１上には、図示しない網又は鉄板を載置する。この網又は鉄板上に食材を載せて当該食材を焼くことができる。この火床カバー２００が、加熱燃料の熱から火床Ｆ１を保護するので、火床Ｆ１の熱劣化が抑制される。また、加熱燃料の煤や食材の油が火床Ｆ１に付着することが火床カバー２００により防止される。
【００７１】
以上のような火床カバー２００の収容性が向上する。その理由は次の通りである。火床カバー２００の側板２２０を展開位置又は重ね位置に位置させた状態で、火床カバー２００を重ねて収納することができる。
【実施例４】
【００７２】
次に、本発明の実施例４に係る火床カバー２００’について図４Ａ〜図４Ｆを参照しつつ説明する。火床カバー２００’は、金属製の火床Ｆ２（図２Ｉを借りて参照）内に収容可能である。なお、図４Ａに示すＹ−Ｙ’方向が火床カバー２００’の長手方向である。図４Ａに示すＸ−Ｘ’方向が火床カバー２００’の短手方向である。図４Ａに示すＺ−Ｚ’方向が火床カバー２００’の高さ方向である。
【００７３】
火床カバー２００’は、全ての側板２２０’が起立位置でＺ−Ｚ’方向に延びている点で相違する以外、火床カバー２００と同じ構成である。よって、火床カバー２００’の説明のうち、火床カバー２００の説明と重複するものについては省略する。
【００７４】
火床カバー２００’は底板２１０’（第１底板）と複数の側板２２０’（第１側板）とを有している。底板２１０’は、環状の縁２１１’（第１縁）を有している。縁２１１’は、連結部２１１１’（第１連結部）を有している。側板２２０’は、第１端部２２１’と、第２端部２２２’とを有している。
【００７５】
以上のような構成の火床カバー２００’も火床カバー２００と同様に製造される。火床カバー２００’の側板２２０’を折り畳み位置から起立位置に折り曲げることによって、火床カバー２００’が箱型となる。
【００７６】
以下、本発明の実施例４に係るバーベキューグリルは、火床カバー２００’と、上記火床Ｆ２とを備えている。火床Ｆ２は、火床カバー２００’を収容可能である。
【００７７】
上記バーベキューグリルの火床Ｆ２内に、箱型の火床カバー２００’が配置される。その後、この火床カバー２００’内に炭や薪等の加熱燃料を入れ、当該加熱燃料を加熱させる。火床カバー２００’及び火床Ｆ２上には、図示しない網又は鉄板を載置する。この網又は鉄板上に食材を載せて当該食材を焼くことができる。この火床カバー２００’が、加熱燃料の熱から火床Ｆ２を保護するので、火床Ｆ２の熱劣化が抑制される。また、加熱燃料の煤や食材の油が火床Ｆ２に付着することが火床カバー２００により防止される。
【００７８】
以上のような火床カバー２００’の収容性が向上する。その理由は次の通りである。火床カバー２００’の側板２２０’を展開位置又は重ね位置に位置させた状態で、火床カバー２００’を重ねて収納することができる。
【実施例５】
【００７９】
次に、本発明の実施例５に係る火床カバー３００について図５Ａ〜図５Ｄを参照しつつ説明する。火床カバー３００は、金属製の火床Ｆ３（図５Ｄ参照）内に収容可能である。なお、図５Ａ及び図５Ｂに示すＹ−Ｙ’方向が火床カバー３００の半径方向の一つである。図５Ｂに示すＸ−Ｘ’方向が火床カバー３００の別の半径方法であって、Ｙ−Ｙ’方向に直交している。図５Ａに示すＺ−Ｚ’方向が火床カバー３００の高さ方向である。
【００８０】
火床カバー３００は、可撓性を有する金属箔（例えば、アルミ箔）で構成されている。  火床カバー３００は底板３１０（第１底板）を有している。底板３１０は金属箔（例えば、アルミ箔）で構成された円板又は楕円板である。底板３１０は、円環状及び楕円環状の縁３１１（第１縁）を有している。縁３１１は、縁３１１に沿って並ぶ複数の連結部３１１１（第１連結部）を有している。連結部３１１１は縁３１１に沿って隙間なく並んでいても良いし、隣り合う連結部３１１１の間に隙間を有するように並んでいても良い。連結部３１１１は、底板３１０の辺又は当該辺の一部であっても良い。
【００８１】
火床カバー３００は複数の側板３２０（第１側板）を更に有している。側板３２０の中央部は、底板３１０の連結部３１１１の中央部に各々連接されている。側板３２０の両端部は、底板３１０の連結部３１１１の両端部から切り離されている。側板３２０は、少なくとも底板３１０に対して起立位置から折り畳み位置にかけて各々折り曲げ可能である。側板３２０は、底板３１０に対して重ね位置から起立位置を通って折り畳み位置まで各々折り曲げ可能とすることも可能である。起立位置は、側板３２０が底板３１０に対して直角又は傾斜した位置である。図５Ａ〜図５Ｄでは、起立位置で、火床カバー３００の外側に傾斜しつつＺ−Ｚ’方向に延び且つ円弧状に湾曲している。折り畳み位置は、側板３２０が底板３１０と略同一平面上に位置するように展開された位置（展開位置）又は側板３２０が底板３１０上に重なる位置（重ね位置）である。折り畳み位置が展開位置である場合、側板３２０は、底板３１０に対して火床カバー３００の外側に倒れるように各々折り曲げ可能である。折り畳み位置が重ね位置である場合、側板３２０は、底板３１０に対して火床カバー３００の内側に倒れるように各々折り曲げ可能である。
【００８２】
側板３２０は、第１端部３２１と、第２端部３２２とを有している。第２端部３２２は、第１端部３２１の反対側の端部である。起立位置で隣り合う側板３２０の第１端部３２１と別の側板３２０の第２端部３２２とが隣り合う。起立位置で隣り合う側板３２０の第１端部３２１と別の側板３２０の第２端部３２２とが当接しても良いし、当接しなくても良い。
【００８３】
以上のような構成の火床カバー３００は、次の通り製造される。可撓性を有する金属箔（例えば、厚さ０.０３５〜０.０６ｍｍのアルミ箔）を図示しない金型を用いてプレス成形することによって、展開状態の火床カバー３００が製造される。火床カバー３００の側板３２０を折り畳み位置から起立位置に折り曲げ且つ側板３２０が縁３１１に沿うように円弧状に湾曲させることによって、火床カバー３００が箱型となる。
【００８４】
以下、本発明の実施例５に係るバーベキューグリルは、火床カバー３００と、上記火床Ｆ３とを備えている。火床Ｆ３は、火床カバー３００を収容可能な金属製（例えば、ステンレスやスチール製）の箱である。火床Ｆ３は、円板状の底板Ｆ３１と、円筒状の側板Ｆ３２とを有している。
【００８５】
底板Ｆ３１上に火床カバー３００の底板３１０が載置可能である。底板Ｆ３１は、円環状又は楕円状の辺を有している。側板Ｆ３２は、底板Ｆ３１の辺に立設されており且つ底板Ｆ３１に対して直角又は傾斜している。側板Ｆ３２上に火床カバー３００の側板３２０が当接可能である。側板Ｆ３２には、当該側板Ｆ３２を貫通した一又は複数の通気孔が設けられていても良い。
【００８６】
上記バーベキューグリルは、図示しない脚を更に備えていても良い。脚は、上記した何れかの態様の火床Ｆ３を中空で支持する。
【００８７】
上記バーベキューグリルの火床Ｆ３内に、箱型の火床カバー３００が配置される。その後、この火床カバー３００内に炭や薪等の加熱燃料を入れ、当該加熱燃料を加熱させる。火床カバー３００及び火床Ｆ３上には、図示しない網又は鉄板を載置する。この網又は鉄板上に食材を載せて当該食材を焼くことができる。この火床カバー３００が、加熱燃料の熱から火床Ｆ３を保護するので、火床Ｆ３の熱劣化が抑制される。また、加熱燃料の煤や食材の油が火床Ｆ３に付着することが火床カバー３００により防止される。
【００８８】
以上のような火床カバー３００の収容性が向上する。その理由は次の通りである。火床カバー３００の側板３２０を展開位置又は重ね位置に位置させた状態で、火床カバー３００を重ねて収納することができる。
【００８９】
なお、上記した火床カバー及びバーベキューグリルは、上記実施例に限定されるものではなく、特許請求の範囲の記載範囲において任意に設計変更することが可能である。以下、詳しく述べる。
【００９０】
なお、上記実施例及び設計変形例における火床カバー及びバーベキューグリルの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。本発明のＹ−Ｙ’方向は、火床カバーの短手方向又は半径方向とすることが可能である。すなわち、実施例１及び２に記載の何れかの態様の火床カバーは、短手方向又は半径方向に伸縮可能な構成とすることが可能である。本発明のＸ−Ｘ’方向は、火床カバーの長手方向又は短手方向とすることが可能である。
【符号の説明】
【００９１】
１００・・・・・火床カバー
１００ａ・・・・第１箱部
１１０ａ・・・第１底板
１１１ａ・・第１縁
１１１ａ１・第１連結部
１１２ａ・・第１開放縁
１２０ａ・・・第１側板
１２１ａ・・第１端部
１２２ａ・・第２端部
１２３ａ・・第１係合部
１００ｂ・・・・第２箱部
１１０ｂ・・・第２底板
１１１ｂ・・第２縁
１１１ｂ１・第２連結部
１１２ｂ・・第２開放縁
１２０ｂ・・・第２側板
１２１ｂ・・第１端部
１２２ｂ・・第２端部
１２３ｂ・・第２係合部
Ｆ１・・・・・・・火床
Ｆ１１・・・・・底板
Ｆ１２・・・・・側板 
１００’・・・・火床カバー
１００ａ’・・・第１箱部
１１０ａ’・・第１底板
１１１ａ’・第１縁
１１１ａ１’・第１連結部
１１２ａ’・第１開放縁
１２０ａ’・・第１側板
１２１ａ’・第１端部
１２２ａ’・第２端部
１２３ａ’・第１係合部
１００ｂ’・・・第２箱部
１１０ｂ’・・第２底板
１１１ｂ’・第２縁
１１１ｂ１’・第２連結部
１１２ｂ’・第２開放縁
１２０ｂ’・・第２側板
１２１ｂ’・第１端部
１２２ｂ’・第２端部
１２３ｂ’・第２係合部
Ｆ２・・・・・・・火床
Ｆ２１・・・・・底板
Ｆ２２・・・・・側板 
２００・・・・・・火床カバー
２１０・・・・・底板（第１底板）
２１１・・・・縁（第１縁）
２１１１・・連結部（第１連結部）
２２０・・・・・側板（第１側板）
２２１・・・・第１端部
２２２・・・・第２端部
２００’・・・・・火床カバー
２１０’・・・・底板（第１底板）
２１１’・・・縁（第１縁）
２１１１’・連結部（第１連結部）
２２０’・・・・側板（第１側板）
２２１’・・・第１端部
２２２’・・・第２端部
３００・・・・・・火床カバー
３１０・・・・・底板（第１底板）
３１１・・・・縁（第１縁）
３１１１・・連結部（第１連結部）
３２０・・・・・側板（第１側板）
３２１・・・・第１端部
３２２・・・・第２端部
Ｆ３・・・・・・・火床
Ｆ３１・・・・・底板
Ｆ３２・・・・・側板
【図１Ａ】
0006533099.tif 000002
【図１Ｂ】
0006533099.tif 000003
【図１Ｃ】
0006533099.tif 000004
【図１Ｄ】
0006533099.tif 000005
【図１Ｅ】
0006533099.tif 000006
【図１Ｆ】
0006533099.tif 000007
【図１Ｇ】
0006533099.tif 000008
【図１Ｈ】
0006533099.tif 000009
【図１Ｉ】
0006533099.tif 000010
【図２Ａ】
0006533099.tif 000011
【図２Ｂ】
0006533099.tif 000012
【図２Ｃ】
0006533099.tif 000013
【図２Ｄ】
0006533099.tif 000014
【図２Ｅ】
0006533099.tif 000015
【図２Ｆ】
0006533099.tif 000016
【図２Ｇ】
0006533099.tif 000017
【図２Ｈ】
0006533099.tif 000018
【図２Ｉ】
0006533099.tif 000019
【図３Ａ】
0006533099.tif 000020
【図３Ｂ】
0006533099.tif 000021
【図３Ｃ】
0006533099.tif 000022
【図３Ｄ】
0006533099.tif 000023
【図３Ｅ】
0006533099.tif 000024
【図３Ｆ】
0006533099.tif 000025
【図４Ａ】
0006533099.tif 000026
【図４Ｂ】
0006533099.tif 000027
【図４Ｃ】
0006533099.tif 000028
【図４Ｄ】
0006533099.tif 000029
【図４Ｅ】
0006533099.tif 000030
【図４Ｆ】
0006533099.tif 000031
【図５Ａ】
0006533099.tif 000032
【図５Ｂ】
0006533099.tif 000033
【図５Ｃ】
0006533099.tif 000034
【図５Ｄ】
0006533099.tif 000035